(57)【特許請求の範囲】
【請求項１】
配線器具が取り付けられる取付枠を備えた配線器具取付装置の補強構造であって、上記取付枠に、該取付枠の配線器具を取り付ける中央開口部を除く上面全体を覆って補強する補強枠を重合可能に設けるとともに、上記取付枠には上記補強枠を重合させる位置を決める位置決め手段と補強枠を係止する係止手段とを設け、上記補強枠には上記位置決め手段に係合する係合部と、上記係止手段に係止される係止部とを設けるとともに、
上記取付枠には配線器具を係止するフックを設け、
上記補強枠の開口部側縁部には、工具を差し込む切欠き部を形成するとともに、該切欠き部の外側には上記フックを外側に撓ませたときに当接するリミッターを下方に突出して形成し、
上記工具を上記切欠き部から差し込んで上記フックを外側に撓ませて配線器具の係止を解除する際、上記フックの撓み量はリミッターで制限されるようにしたことを特徴とする配線器具取付装置の補強構造。
【発明の詳細な説明】
【０００１】
【発明の属する技術分野】
本発明は、配線器具取付装置の補強構造、詳しくは配線器具が取り付けられる取付枠に補強枠を重合することにより取付枠を補強する配線器具取付装置の補強構造に関する。
【０００２】
【従来の技術】
従来、石膏ボードなどからなる中空壁にコンセントやスイッチなどの配線器具を取り付ける際、予め配線器具の取付穴を穿設し、その取付穴の外側に取付枠、取付穴の内側に挟み金具を配置し、取付枠と挟み金具とで中空壁を挟むようにネジ止めし、取付枠を中空壁に固定するようになっていた。
【０００３】
【発明が解決しようとする課題】
しかしながら、上述の取付枠は一般に強化プラスチック樹脂製であるため、変形する可能性があり、耐火性を求められる取付箇所に使用するには不向きであった。
【０００４】
本発明は上記問題点を解消し、取付枠の変形を防止するとともに取付枠の耐火性を向上させる配線器具取付装置の補強構造を提供することをその課題とする。
【０００５】
【課題を解決するための手段】
前記課題を解決するため、本発明に係る配線器具取付装置の補強構造は、配線器具が取り付けられる取付枠を備えた配線器具取付装置の補強構造であって、上記取付枠に、該取付枠の配線器具を取り付ける中央開口部を除く上面全体を覆って補強する補強枠を重合可能に設けるとともに、上記取付枠には上記補強枠を重合させる位置を決める位置決め手段と補強枠を係止する係止手段とを設け、上記補強枠には上記位置決め手段に係合する係合部と、上記係止手段に係止される係止部とを設けるとともに、上記取付枠には配線器具を係止するフックを設け、上記補強枠の開口部側縁部には、工具を差し込む切欠き部を形成するとともに、該切欠き部の外側には上記フックを外側に撓ませたときに当接するリミッターを下方に突出して形成し、上記工具を上記切欠き部から差し込んで上記フックを外側に撓ませて配線器具の係止を解除する際、上記フックの撓み量はリミッターで制限されるようにしたことを特徴とする。
【０００６】
【発明の実施の形態】
図１において符号Ａは、中空壁用の配線器具取付装置（以下、取付装置という）を示し、この取付装置Ａは取付枠１と挟み金具２とで構成され、取付ネジ３を取付枠１の両側に形成された挿通孔４を介して挟み金具２のネジ孔５に螺合させ（図２参照）、挟み金具２を中空壁６に穿設された取付穴７の内側に差し込み、取付ネジ３を締め込むことによって、取付枠１の張り出し部１ａと挟み金具２とで取付穴７の周縁部を挟持させるようにして中空壁６に固定できるようになっているもので、スイッチなどの配線器具Ｂを取付枠１の開口部８に最大３個まで取り付けられるようになっているものである。
【０００７】
取付枠１は、図３に示すように、中央に配線器具を取り付ける開口部８が形成され、長手方向両端に張り出した張り出し部１ａには取付ネジ３を挿通させる挿通孔４が形成されるとともに、挿通孔４の両側には、後述する挟み金具２を回動可能に支持する支持孔１０が形成されている。そして、支持孔１０の内周面の一部から支持片１０ａが内方に突出形成されている。
【０００８】
挟み金具２は、図４（ａ）（ｂ）（ｃ）の正面図、右側面図及び底面図に示すように、側面視Ｌ字状に折り曲げられた金属板で構成され、縦板部１１の上部両端には対向してフック部１２がそれぞれ形成され、このフック部１２は上記取付枠１の支持孔１０に形成された支持片１０ａに係合させることにより、支持片１０ａを中心に挟み金具２が上下方向に回動できるようになっている。
【０００９】
挟み金具２の横板部１３は、縦板部１１に近い中央部分には取付ネジ３が螺合する雌ネジ部５が設けられた取付ネジ螺着部１４を形成し、このネジ螺着部１４には中空壁６の内側の縁部に当接する当接部１５が連設されている。ネジ螺着部１４と当接部１５とが連接する部分には第1の弾性変形部１６が形成されている。この第1の弾性変形部１６は２つの長孔１７によって切り取られた残りの３つの連結部で構成され、この連結部１６が撓む（弾性変形する）ことによって当接部１５はネジ螺着部１４に対し上下方向に回動できるようになっている。
【００１０】
そして、上記当接部１５には位置固定爪部２０が斜め上方に向かって連設され、位置固定爪部２０の上端縁２０ａは鋸歯状に形成されている。当接部１５と位置固定爪部２０とが連接する部分には第２の弾性変形部２１が形成されている。この第２の弾性変形部２１は位置固定爪部２０よりも幅の狭い連結部で構成され、この連結部２１が撓む（弾性変形する）ことによって位置固定爪部２０は当接部１５に対し上下方向に回動できるようになっている。なお、符号２２は、当接部１５下面に突出して形成され、当接部１５を補強する補強用リブを示す。
【００１１】
上記構成の取付装置Ａは、図５に示すように、取付枠１と挟み金具２とを取付ネジ３で軽く連結した状態で、両方の挟み金具２の当接部１５が取付穴７から中空壁６の裏側面６ａに入り込むように中空壁６にセットする。その状態で取付ネジ３を締めこむと、位置固定爪２０の先端２０ａが中空壁６の裏側面６ａに当接するが、さらに取付ネジ３を締め込むと、第２の弾性変形部２１が撓んで位置固定爪２０の先端２０ａは中空壁６の裏側面６ａに軽く噛み込む状態になる。このとき当接部１５も中空壁６の裏側面６ａに当接するが、第１の弾性変形部１６が撓んで当接部１５は中空壁６の裏側面６ａに圧接し、取付枠１の張り出し部１ａと当接部１５とが取付穴７の周縁を挟持して中空壁に固定された状態になる。
【００１２】
そして、この配線器具取付装置は、上述の取付枠を補強する補強構造を備えている。この補強構造は配線器具を取り付ける取付枠１に補強枠３０を重合することにより取付枠１を補強できるように構成されているものであって、補強枠３０は金属製の板部材で、取付枠１に重合させることにより強化プラスチック樹脂製の取付枠１の変形防止又は、簡易耐火仕様として用いられるもので、取付枠１には、図６（ａ）に示すように、補強枠３０を係止するための係止手段３１と、取付枠１に補強枠３０が正しく重ねることができるように位置を定めるための位置決め手段３３とが設けられている。
【００１３】
上記係止手段３１は取付枠１の上面４隅から上方に突出形成されたフック部材で構成され、位置決め手段３３は開口部８を挟んで取付枠１の上面に長手方向対角線上に突出形成された先端が球面状の位置決め突部で構成されている。
【００１４】
なお、開口部８の長手方向外側で、且つフック部材３１を結ぶ線上のフック部材（係止手段）３１の内側近傍には円形の台座部３５、３６が所定間隔をおいて形成され、上記位置決め突部（位置決め手段）３３は上記台座部３６の上面から上方に突出するように形成されている。この台座部３５、３６の径は位置決め突部３３の径よりもやや大きく形成され、フック部材３１の爪と台座部３５の上面との間隔は、補強枠３０の肉厚よりもやや大きく形成されている。
【００１５】
補強枠３０は、図６（ｂ）に示すように、取付枠１に重ねると取付枠１の中央開口部８を除く取付枠１の上面全体を覆うことができるように中央に開口部４０が形成されるとともに、取付枠１の形状に合わせてプレス成形されたもので、四隅には上記取付枠１のフック部材３１により、補強枠３０が係止される係止部（係止孔）３２が形成されるとともに、取付枠１の上面に突出形成された位置決め突部３３が係合する係合部（位置決め孔）３４が形成されている。
【００１６】
取付枠１と補強枠３０とは上述のように形成されているので、補強枠３０を取付枠１に取り付ける場合は、図７（ａ）に示すように、取付枠１に形成された位置決め突部３３の先端を補強枠３０に形成された位置決め孔３４から突出させるように取付枠１に補強枠３０を重ね合わせ、補強枠３０を下方に押圧する。補強枠３０の裏面が台座部３５に当接するとフック部材３３の爪が係止孔３２の縁に噛み込んで補強枠３０を係止することができる。（図７（ｂ）参照）。
【００１７】
なお、補強枠３０の中央開口部４０の右側縁部には切り欠き部４１が３箇所形成され、この切り欠き部４１の外側に位置する部位には下方に突出してリミッターであるボス４２が形成されている。この切り欠き部４１と、ボス４２とは取付枠１に補強枠３０を取り付けた状態で、取付枠１に取り付けられた配線器具を取り外す際に機能するもので、取付枠１に補強枠３０を取り付けた状態では、取付枠１に配線器具Ｂを係止するフック４３の外側にボス４２の下端が位置し、フック４３が外側に撓んだときにフック４３の外側上部がボス４２の側面に当たり、フック４３が弾性限界を超えて大きく撓まないようにリミッターとして作用するようになっている。
【００１８】
そして、図８の左側斜視図に示すように、取付枠１と補強枠３０の切り欠き部４１との間に形成される空間ｂからマイナスドライバー等の先端が平坦な工具ａを差し込むことができるようになっており、差し込んだ工具ａを内側（工具ａの図示されていない上部を図８の図面上で左方向）に向けて倒す操作をすることにより、取付枠１に配線器具Ｂを係止するフック４３を外方に撓ませ、フック４３による配線器具Ｂの係止を解除することができるようになっているが、フック４３の撓み量はボス４２で制限されているので、工具ａを内側に強く倒してもフック４３が大きく撓んで破損するようなことはない。
【００１９】
また、メンテナンスなどで補強枠３０を取り外す必要が生じた場合は、取付枠１のフック部材３１と係止孔３２との噛み合いを外すことにより容易に取付枠１と補強枠３０とを分離することができる。
【００２０】
上述のように、取付枠に補強枠を重合させるだけで簡単に補強枠を取付枠に取り付けることができ、強化プラスチック樹脂製の取付枠に金属製の補強枠を取り付けることにより、取付装置全体の強度が向上し、取付枠の変形が防止されるとともに、簡易耐火仕様としての機能を付加することができるので耐火性を求められる取付箇所に使用することを可能にする。
【００２１】
なお、上述の補強枠は中空壁用配線器具取付装置における取付枠の補強用として説明したが、位置決め突部とフック部材とが形成されていれば、この補強枠が取り付けられる取付枠は中空壁用に限定されるものではない。
【００２２】
【発明の効果】
請求項１の発明によれば、配線器具が取り付けられる取付枠には補強枠を重合させる位置を決める位置決め手段と補強枠を係止する係止手段とを設け、補強枠には位置決め手段に係合する係合部と、係止手段に係止される係止部とを設けたので、取付枠に補強枠を重ねるだけで補強枠を取付枠に正しく、しかも簡単、確実に取り付けることができ、取付枠の配線器具を取り付ける中央開口部を除く上面全体を覆ったので取付枠の変形を防止するとともに、簡易耐火仕様として機能させることができる。
【００２３】
さらに、補強枠にリミッターを設けたことにより、配線器具を取付枠から外す際に、取付枠に設けられているフックが大きく撓んで破損するようなトラブルの発生を未然に防止することができる。
【図面の簡単な説明】
【図１】  本発明に係る取付装置と配線器具と中空壁との関係を説明する斜視図
【図２】  取付装置の分解斜視図
【図３】  取付枠の正面図
【図４】  （ａ）（ｂ）（ｃ）は挟み金具の正面図、右側面図及び底面図
【図５】  上記取付装置を中空壁に固定した状態を説明する断面図
【図６】  （ａ）（ｂ）は取付枠及び補強枠の構造を説明する斜視図
【図７】  （ａ）（ｂ）は取付枠に補強枠を取り付ける状態を説明する斜視図
【図８】  取付枠に補強枠を取り付けた状態で配線器具を外す操作を説明する斜視図
【符号の説明】
１  取付枠
３０  補強枠
３１  係止手段（フック）
３２  係止部（係止孔）
３３  位置決め手段（位置決め突部）
３４  係合部（位置決め孔）
４２  リミッター（ボス）
４３  フック
【図１】
0004530520.tif 000002
【図２】
0004530520.tif 000003
【図３】
0004530520.tif 000004
【図４】
0004530520.tif 000005
【図５】
0004530520.tif 000006
【図６】
0004530520.tif 000007
【図７】
0004530520.tif 000008
【図８】
0004530520.tif 000009